(57)【特許請求の範囲】
【請求項１】
ディスク媒体を格納しているディスクカートリッジが装着されるカートリッジホルダと、
上記ディスクカートリッジが挿入あるいは排出される第１の位置と、上記ディスクカートリッジのディスク媒体の情報を読み取りあるいは書き込みを行う第２の位置に上記カートリッジホルダを支点軸を回動中心として回動可能に支持するシャーシと、
上記カートリッジホルダへ上記ディスクカートリッジの装填時に当該ディスクカートリッジの挿入方向にスライド移動可能の係止爪を有するスライダと、
上記スライダを上記ディスクカートリッジの排出方向へ付勢するようにしている第１のばね部材と、
上記シャーシ側に上下方向に回動可能に支持され、上記スライダの係止爪と対峙する位置にロック爪を有するアーム部材と、
上記アーム部材を起立方向へ付勢するようにしている第２のばね部材と、
上記シャーシに上記ディスクカートリッジを上記第２の位置に位置決めするための位置決めピンと、から構成され、
上記ディスクカートリッジが、上記第１の位置において、上記カートリッジホルダへ装填されると、上記第１のばね部材にばね力が発生し上記スライダの係止爪が上記アーム部材のロック爪に係合されて上記ディスクカートリッジが装填位置に保持され、
上記カートリッジホルダが上記第１の位置から上記第２の位置に回動されると、上記アーム部材の突当て面が上記カートリッジホルダの下辺に当接し上記アーム部材が回動することで、上記スライダの係止爪が上記アーム部材のロック爪から解放され、
上記カートリッジホルダが上記第２の位置から上記第１の位置に回動されることで、上記第１のばね部材のばね力により上記スライダがスライド移動し上記カートリッジホルダから上記ディスクカートリッジが排出されると共に、
上記第１の位置においては、上記アーム部材のロック爪により上記スライダの側部を上記第１の位置の方向に付勢されると共に、
上記第２の位置においては、上記アーム部材の突当て面が上記カートリッジホルダの下辺に当接し上記第１の位置の方向に付勢されるように構成されている
ことを特徴とするディスクカートリッジ着脱機構。
【請求項２】
請求項１記載のディスクカートリッジ着脱機構において、
上記スライダの係止爪が上記アーム部材のロック爪から解放される位置は、上記ディスクカートリッジの位置決め穴が上記位置決めピンに呼び込まれる以降であることを特徴とするディスクカートリッジ着脱機構。
【請求項３】
請求項１記載のディスクカートリッジ着脱機構において、
上記ディスクカートリッジは光ディスクあるいは光磁気ディスクであることを特徴とするディスクカートリッジ着脱機構。
【発明の詳細な説明】
【０００１】
【発明の属する技術分野】
本発明は、ディスクカートリッジ着脱機構に関し、詳しくは、カートリッジホルダに対してディスクカートリッジの装填及び排出動作を単純な機構によって可能にしたものである。
【０００２】
【従来の技術】
従来、ディスクカートリッジの排出機構では、例えばＣＤ等のようにトレイにディスクを乗せ、装置本体へ出し入れを行う方式や、また、据え置きオーディオ装置や車載用オーディオ装置のようにゴムローラやその他の駆動機構により装置本体へ出し入れを行う方式、あるいはポータブル式ＭＤのようにカートリッジホルダを使用してディスクカートリッジを出し入れする方式等がある。
【０００３】
【発明が解決しようとする課題】
ところで、カートリッジホルダを使用した方式では、ディスクカートリッジの出し入れ機構が複数のばね部材を使用した複雑な機構となっていた。このため、部品点数が多く故障等の原因となっていたり、組み立て工数も多くコストアップでもあった。
【０００４】
本発明は、上述したような課題を解消するためになされたもので、カートリッジホルダを使用したポータブル方式において、構成単純にしてディスクカートリッジの挿入、排出を確実に行うことのできるディスクカートリッジ着脱機構を得ることを目的とする。
【０００５】
【課題を解決するための手段】
上述の目的を達成するため本発明のディスクカートリッジ着脱機構は、ディスク媒体を格納しているディスクカートリッジが装着されるカートリッジホルダと、ディスクカートリッジが挿入あるいは排出される第１の位置と、ディスクカートリッジのディスク媒体の情報を読み取りあるいは書き込みを行う第２の位置にカートリッジホルダを支点軸を回動中心として回動可能に支持するシャーシと、カートリッジホルダへディスクカートリッジの装填時にディスクカートリッジの挿入方向にスライド移動可能の係止爪を有するスライダと、スライダをディスクカートリッジの排出方向へ付勢するようにしている第１のばね部材と、シャーシ側に上下方向に回動可能に支持され、スライダの係止爪と対峙する位置にロック爪を有するアーム部材と、アーム部材を起立方向へ付勢するようにしている第２のばね部材と、シャーシにディスクカートリッジを第２の位置に位置決めするための位置決めピンと、から構成され、ディスクカートリッジが、第１の位置において、カートリッジホルダへ装填されると、第１のばね部材にばね力が発生しスライダの係止爪がアーム部材のロック爪に係合されてディスクカートリッジが装填位置に保持され、カートリッジホルダが第１の位置から第２の位置に回動されると、アーム部材の突当て面がカートリッジホルダの下辺に当接しアーム部材が回動することで、スライダの係止爪がアーム部材のロック爪から解放され、カートリッジホルダが第２の位置から第１の位置に回動されることで、第１のばね部材のばね力によりスライダがスライド移動しカートリッジホルダからディスクカートリッジが排出されると共に、第１の位置においては、アーム部材のロック爪によりスライダを第１の位置の方向に付勢すると共に、第２の位置においては、アーム部材の突当て面がカートリッジホルダの下辺に当接し第１の位置の方向に付勢するように構成されているものである。
【０００６】
上述のように構成したディスクカートリッジ着脱機構によれば、ディスクカートリッジが第１の位置でカートリッジホルダへ装填されると、第１のばね部材にばね力が発生しスライダの係止爪がアーム部材のロック爪に係合されてディスクカートリッジが装填位置に保持される。この後、カートリッジホルダが第１の位置から第２の位置に回動されると、第２の位置でディスクカートリッジが位置決めピンに位置決めされることによりスライダの係止爪がアーム部材のロック爪から解放される。そして、カートリッジホルダのエジェクト操作により第１のばね部材のばね力によりスライダが第１の位置に後退し、カートリッジホルダからディスクカートリッジを排出する動作が行われる。
【０００９】
【発明の実施の形態】
以下、本発明のディスクカートリッジ着脱機構を備えたディスク記録再生装置の実施の形態を、ディスクカートリッジを使用したポータブル方式の光ディスク記録再生装置に適用した例をとって図面を参照して説明する。
【００１０】
［第１の実施の形態］
図１はディスク記録再生装置の平面図、図２は本発明のディスクカートリッジ着脱機構の斜視図、図３は着脱機構側から見た装置全体の側面図である。
【００１１】
符号１がディスク記録再生装置の基体となるシャーシであり、このシャーシ１にはその一端側（図３において右端側）に設けた支点軸２を回動中心としてカートリッジホルダ３がいわゆる跳ね上げ式に回動可能にされている。このカートリッジホルダ３が跳ね上げられた位置が第１の位置であるエジェクト位置であり、このエジェクト位置（第１の位置）においてカートリッジホルダ３の開口部３ａから仮想線で示したディスクカートリッジ４が挿入／排出される。尚、ディスクカートリッジ４は、本例では挿入端側の形状が円弧面形状にされている。
【００１２】
さて、カートリッジホルダ３の一側部にはＬ型チャッネル材からなるスライダ５が取り付けられている。スライダ５はこれに形成した長孔６がカートリッジホルダ３にねじ止めしたガイドピン７，７に沿ってディスクカートリッジの出し入れ方向へ移動可能にされている。このスライダ５の手前側に下向きの係止爪８が形成されている。すなわち、スライダ５はカートリッジホルダ３へディスクカートリッジが挿入されることで、ディスクカートリッジの挿入端部がスライダ５の奥側端部に設けたレバー９に当接し、ディスクカートリッジの挿入方向と同一方向にスライド移動されるようになっている。尚、符号１０はスライダ５の奥側端部側面部に形成されているディッチで、ディスクカートリッジの凹溝を保持するためのものである。
【００１３】
また、カートリッジホルダ３の外側面３ｂにはディスクカートリッジの図示しないシャッター板を開閉する操作部材１１がカシメ１２等により固定されている。この操作部材１１にはカートリッジホルダ３に開けた窓孔１３を通じてディスクカートリッジの挿入動作に伴ってシャッター板を解放するシャッターオープン片１４と、同じくカートリッジホルダ３に開けた窓孔１５を通じてディスクカートリッジの排出動作に伴ってシャッター板を閉止するシャッタークローズ片１６とがそれぞれカートリッジホルダ３の内側に突設されている。
【００１４】
ここで、上述したスライダ５はその一部に形成したばね掛け片５ａと、操作部材１１に形成したばね掛け片１１ａとの間に引っ張りばねからなる第１のコイルばね１７が支持されている。この第１のコイルばね１７によってスライダ５と共にディスクカートリッジを排出方向へ引く戻す作用が行われる。
【００１５】
一方、シャーシ１側にはＬ型に曲げ成形したアーム部材１８が軸部１９により回動可能に支承されている。アーム部材１８は垂直に立ち上がり、その先端側にカートリッジホルダ３側に水平に延出する凸状の突当て面２０を有し、この突当て面２０に隣接してロック爪２１が曲げ起こされている。このアーム部材１８はその軸部近傍に形成したばね掛け片１８ａとシャーシ１から切り起こされたばね掛け片１ａとの間に引っ張りばねからなる第２のコイルばね２２が支持されている。
【００１６】
また、シャーシ１上には支点軸２とは反対側にディスクカートリッジを記録再生位置に位置決めするための左右一対の位置決めピン２３，２３が立設されている。尚、シャーシ１には、ここでは図示しないがディスクカートリッジ内に格納されている光ディスクの情報の読み取りあるいは書き込みを行うための光学ヘッド機構がディスク径方向へ移動可能に搭載されている。
【００１７】
次に、上述のように構成したディスクカートリッジ着脱機構の一連の動作を図３〜図６を参照して説明する。
【００１８】
図３はカートリッジホルダ５がエジェクト位置に跳ね上げられ、ディスクカートリッジ４がカートリッジホルダ５から排出されている動作状態である。ここで、ディスクカートリッジ４をカートリッジホルダ５内へ挿入していくと、ディスクカートリッジの図示しないシャッター板がシャッターオープン片１４により解放される動作と共に、ディスクカートリッジ４の挿入端側がレバー９を押し戻し、ディスクカートリッジ４の挿入に連動してスライダ５は第１のコイルばね１７のばね力に抗して一緒にスライド移動する。この際、スライダ５はこれに形成されている係止爪８がシャーシ１側のアーム部材１８のロック爪２１を乗り越えた位置で当該ロック爪２１と係合される（図４参照）。
【００１９】
この図４の動作状態がカートリッジホルダ５内にディスクカートリッジ４が完全に装填された状態であり、スライダ５は第１のコイルばね１７のばね力を受けてエジェクト方向へ付勢されるが、ロック爪２１により規制されていることでスライダ５はディスクカートリッジと共に装填位置を保持する。
【００２０】
ここで、図４のディスクカートリッジの装填動作状態からカートリッジホルダ３を記録再生位置（第２の位置）へダウンしていくと、カートリッジホルダ３の下辺がアーム部材１８の突当て面２０に当接し、アーム部材１８が支軸部１９を支点にして時計回り方向に回動される（図５参照）。この動作状態では、スライダ５の係止爪８はアーム部材１８のロック爪２１に係止されている。
【００２１】
図５の動作状態からさらにカートリッジホルダ３を記録再生位置へダウンさせると、ディスクカートリッジの位置決め穴４ａが位置決めピン２３に係合され、ディスクカートリッジは記録再生位置にセットすることができ（図６参照）、ディスクカートリッジの記録あるいは再生動作が開始される。尚、ディスクカートリッジはその位置決め穴４ａが位置決めピン２３に係合され始めた時点で、スライダ５の係止爪８はアーム部材１８のロック爪２１から完全に離間し係止が解除される。この際、解除状態ではスライダ５の係止爪８はアーム部材１８のロック爪２１より後退した位置に解除されている。
【００２２】
かくして、ディスクカートリッジの記録あるいは再生動作が終了し、カートリッジホルダ３のエジェクト操作が行なわれると、カートリッジホルダ３は跳ね上げられる動作と共に、スライダ５はその係止爪８がアーム部材１８のロック爪２１に干渉されることなもなく、第１のコイルばね１７の復帰するばね力によって排出位置へ戻り、このスライダ５の戻り動作によってディスクカートリッジはレバー９によって押し戻され、図３に示すようにカートリッジホルダ３から排出させることができる。この際、カートリッジホルダ３の排出動作に連動して図示しないシャッター板がシャッタークローズ片１６により閉止される。また、ディスクカートリッジ排出後のアーム部材１８は、第２のコイルばね２２の復帰力により元の位置へ戻る。
【００２３】
以上のように動作するディスクカートリッジ着脱機構は、少ない部品点数で単純な機構によりディスクカートリッジの装填及び排出操作を確実に行うことができるようになり、信頼性の高いディスク記録再生装置を得ることができる。
【００２４】
〔第２の実施の形態〕
図７はディスクカートリッジ着脱機構の斜視図、図８は着脱機構側から見たエジェクト動作状態の側面図であり、上述した第１の実施の形態と同一構成部分には同じ符号を付して説明する。
【００２５】
記録再生装置の基体となるシャーシ１には、その一端側（図８において右端側）に設けた支点軸２を回動中心としてカートリッジホルダ３がいわゆる跳ね上げ式に回動可能にされている。このカートリッジホルダ３が跳ね上げられた位置が第１の位置であるエジェクト位置であり、このエジェクト位置（第１の位置）においてカートリッジホルダ３の挿入口３ａからディスクカートリッジ４が挿入／排出される。
【００２６】
さて、カートリッジホルダ３の一側部にはスライダ２５が取り付けられている。スライダ２５は支点軸２側である奥側に偏して形成した長孔状の第１のガイド孔２６がカートリッジホルダ３の一側面から突設したガイド片２７に支持され、ディスクカートリッジ３の出し入れ方向へスライド移動可能にされている。
【００２７】
また、スライダ２５にはカートリッジホルダ３の挿入口３ａ側である手前側に偏して第２のガイド孔２８が形成され、第２のガイド孔２８にカートリッジホルダ３の一側面から突設した鉤状の係止片２９が係入されている。この第２のガイド孔２８の孔端部の上縁に係止凹部３０が形成されている。さらに、スライダ２５の挿入口３ａ側の端部に下方へ僅かに突き出るようにロック解除片３１が形成されている。
【００２８】
上述したスライダ２５には、その上辺に設けたばね掛け片２５ａにコイルばね３２の一端部が掛け止めされ、これに対してロック解除片３１に近いカートリッジホルダ３の下方部分に設けたばね掛け片３ａにコイルばね３２の他端部が掛け止めされている。すなわち、コイルばね３２はスライダ２５に対して斜めに掛け渡されることで、ロック解除片３１側を下方へばね付勢させるようにしている。
【００２９】
従って、スライダ２５はカートリッジホルダ３へディスクカートリッジ４が挿入されることで、ディスクカートリッジ４の挿入側端部がスライダ２５の奥側端部に設けたレバー３３に当接し、ディスクカートリッジ４の挿入方向と同一方向にスライド移動されるようになっている。
【００３０】
次に、上述のように構成したディスクカートリッジ着脱機構の一連の動作を図８〜図１０を参照して説明する。
【００３１】
図８はカートリッジホルダ３がエジェクト位置に跳ね上げられ、ディスクカートリッジ４がカートリッジホルダ３から排出されている動作状態である。ここで、ディスクカートリッジ４をカートリッジホルダ３内へ挿入していくと、ディスクカートリッジの図示しないシャッター板がシャッターオープン片により解放される動作と共に、ディスクカートリッジ４の挿入端側がレバー３３を押し戻し、ディスクカートリッジ４の挿入に連動してスライダ２５はガイド片２７に沿って第１のガイド孔２６が移動すると共に、コイルばね３２のばね力に抗して一緒にスライド移動する。この後、スライダ２５は第２のガイド孔２８に形成した係止凹部３０が係止片２９に係合される（図９参照）。
【００３２】
この図９の動作状態がカートリッジホルダ３内にディスクカートリッジ４が完全に装填された状態であり、スライダ２５はコイルばね３２の復帰ばね力を受けてエジェクト方向へ付勢されるが、係止凹部３０が係止片２９にロックされ規制されていることで、スライダ２５はディスクカートリッジ４と共に装填位置を保持している。この際、コイルばね３２のばね力によりスライダ２５はガイド片２７をほぼ支点にしてロック解除片３１側が下方へ回動付勢するモーメントが作用し、これによって、スライダ２５の係止凹部３０が係止片２９とのロックを確実にしている。
【００３３】
かくして、図９のディスクカートリッジ４の装填状態からカートリッジホルダ３を第２の位置である記録再生位置へダウンさせると、ディスクカートリッジ４の位置決め穴２４が位置決めピン２３に係合され、ディスクカートリッジ４は記録再生位置（第２の位置）にセットすることができ、ディスクカートリッジ４の記録あるいは再生動作状態となる（図１０参照）。
【００３４】
ここで、カートリッジホルダ３の記録再生位置へのダウンの様子をさらに詳しく説明すると、カートリッジホルダ３のダウンが開始され、ディスクカートリッジ４の位置決め穴２４が位置決めピン２３に係合され始めると、スライダ２５の下辺のロック解除片３１がシャーシ１に当接し、これによって、スライダ２５はロック解除片３１側が押し上げられることで、係止凹部３０は係止片２９とのロックが解除される。従って、カートリッジホルダ３が記録再生位置へ完全にダウンされた状態では、係止凹部３０が係止片２９とのロックが解除され状態でもディスクカートリッジ４の位置決め穴２４が位置決めピン２３に係合されているので、スライダ２５はコイルばね３２の復帰ばね力により排出方向へ戻されることはない。
【００３５】
かくして、ディスクカートリッジの記録あるいは再生動作が終了し、カートリッジホルダ３のエジェクト操作が行なわれると、カートリッジホルダ３は跳ね上げられてディスクカートリッジ４の位置決め穴２４が位置決めピン２３から抜け出すと同時に、スライダ２５はコイルばね３２の復帰ばね力によって排出位置へ戻り、このスライダ２５の戻り動作によってディスクカートリッジ４はレバー３３によって押し戻され、図８に示すようにカートリッジホルダ３から排出させることができる。この際、カートリッジホルダ３の排出動作に連動して図示しないシャッター板がシャッタークローズ片により閉止される。
【００３６】
以上のように動作するディスクカートリッジ着脱機構は、第１の実施の形態よりさらに少ない部品点数でディスクカートリッジの装填及び排出操作を確実に行うことができ、信頼性の高いディスク記録再生装置を得ることができる。
【００３７】
本発明は、上述しかつ図面に示した実施の形態に限定されるものでなく、その要旨を逸脱しない範囲内で種々の変形実施が可能である。
【００３８】
本例では、第１の実施の形態及び第２の実施の形態において、カートリッジホルダ３はシャーシ１に対して支点軸２を中心として跳ね上げ式に開閉動作するようにした実施の形態について説明したが、その他、カートリッジホルダ３がシャーシ１に対して例えば図示しないがリンク機構により水平状態に開閉動作されることであってもよい。
【００３９】
また、本例では光ディスクを格納したディスクカートリッジのディスク記録再生装置に適用した場合について説明したが、その他、光磁気ディスクを格納したディスクカートリッジやハードディスク等のディスク記録再生装置にも広く適用可能である。
【００４０】
【発明の効果】
以上説明したように本発明のディスクカートリッジ着脱機構によれば、ディスクカートリッジが装着されるカートリッジホルダと、第１の位置と第２の位置にカートリッジホルダを回動可能に支持するシャーシと、ディスクカートリッジの挿入方向にスライド移動可能の係止爪を有するスライダと、そのスライダをディスクカートリッジの排出方向へ付勢する第１のばね部材と、スライダの係止爪と対峙する位置にロック爪を有するアーム部材と、そのアーム部材を起立方向へ付勢する第２のばね部材と、ディスクカートリッジを第２の位置に位置決めする位置決めピンとから構成され、ディスクカートリッジが、第１の位置においてカートリッジホルダへ装填されると、第１のばね部材にばね力が発生してスライダの係止爪がアーム部材のロック爪に係合されディスクカートリッジが装填位置に保持され、更に、カートリッジホルダが第１の位置から第２の位置に回動されると、アーム部材の突当て面がカートリッジホルダの下辺に当接してアーム部材が回動することで、スライダの係止爪がアーム部材のロック爪から解放され、また、カートリッジホルダが第２の位置から第１の位置に回動されることで、第１のばね部材のばね力によりスライダがスライド移動してカートリッジホルダからディスクカートリッジが排出されると共に、第１の位置においては、アーム部材のロック爪によりスライダを第１の位置の方向に付勢すると共に、第２の位置においては、アーム部材の突当て面がカートリッジホルダの下辺に当接し第１の位置の方向に付勢するように構成したことで、少ない部品点数で単純な機構によりディスクカートリッジの装填及び排出操作を確実に行うことができるようになり、信頼性の高いポータブル式のディスク記録再生装置に適用できる。
【図面の簡単な説明】
【図１】  本発明の第１の実施形態によるディスクカートリッジ着脱機構を備えたディスク記録再生装置の平面図である。
【図２】  本発明のディスクカートリッジ着脱機構の斜視図である。
【図３】カートリッジホルダのエジェクト動作位置の側面図である。
【図４】同じくカートリッジホルダにディスクカートリッジを装填した側面図である。
【図５】同じくカートリッジホルダの記録再生操作の途中動作位置の側面図である。
【図６】同じくカートリッジホルダの記録再生動作位置の側面図である。
【図７】本発明の第２の実施形態によるディスクカートリッジ着脱機構の斜視図である。
【図８】カートリッジホルダのエジェクト動作位置の側面図である。
【図９】同じくカートリッジホルダにディスクカートリッジを装填した側面図である。
【図１０】同じくカートリッジホルダの記録再生動作位置の側面図である。
【符号の説明】
１…シャーシ、２…支点軸、３…カートリッジホルダ、４…ディスクカートリッジ、５…スライダ、８…係止爪、９…レバー、１４…シャッターオープン片、１６…シャッタークローズ片、１７…第１のコイルばね、１８…アーム部材、１９…支軸部、２０…突当て面、２１…ロック爪、２２…第２のコイルばね、２３…位置決めピン、２４…ディスクカートリッジの位置決め穴、２５…スライダ、２９…係止片、３０…係止凹部、３１…ロック解除片、３２…コイルばね
【図１】
0003726696.tif 000002
【図２】
0003726696.tif 000003
【図３】
0003726696.tif 000004
【図４】
0003726696.tif 000005
【図５】
0003726696.tif 000006
【図６】
0003726696.tif 000007
【図７】
0003726696.tif 000008
【図８】
0003726696.tif 000009
【図９】
0003726696.tif 000010
【図１０】
0003726696.tif 000011